(57)【要約】      （修正有）【課題】簡単な構成でしかも低コストであり、さらに、軽量な壁体により設置作業も簡単で流れ勾配に則した精度の高い角度だし作業を可能とするマンホール躯体の上壁部構造を提供する。【解決手段】マンホールの側壁７上に板面を上下に向けた状態で載置されてマンホールの上壁を成すコンクリート製上壁２と、コンクリート製上壁２の複数位置において板厚方向に貫通する貫通孔３と、貫通孔３の中途においてコンクリート製上壁２に貫通孔３と同心で埋め込まれて設けられたナット部４と、貫通孔３に挿通されナット部４に螺合しつつ下端を貫通孔３から突出させて取り付けられる長ネジ部材５と、を含む。長ネジ部材５を介してコンクリート製上壁２とマンホールの側壁７との連結と、コンクリート製上壁２の勾配調整と、コンクリート製上壁２の吊支操作と、を行なう。【選択図】図３
0003185988.tif 000002
【実用新案登録請求の範囲】
【請求項１】
マンホールの側壁上に板面を上下に向けた状態で載置されてマンホールの上壁を成すコンクリート製上壁と、
コンクリート製上壁の複数位置において板厚方向に貫通する貫通孔と、
貫通孔の中途においてコンクリート製上壁に貫通孔と同心で埋め込まれて設けられたナット部と、
貫通孔に挿通されナット部に螺合しつつ下端を貫通孔から突出させて取り付けられる長ネジ部材と、を含み、
長ネジ部材を介してコンクリート製上壁とマンホールの側壁との連結と、コンクリート製上壁の勾配調整と、コンクリート製上壁の吊支操作と、を行なうようにしたことを特徴とするマンホールの上壁部構造。
【請求項２】
コンクリート製上壁は、金属板枠内に充填したコンクリートを固化させて一体化させた金属枠一体化コンクリート厚板からなることを特徴とする請求項１記載のマンホールの上壁部構造。
【請求項３】
ナット部は、高ナットにコンクリート製上壁との連結強度を保持するアンカー部材が固定されてなることを特徴とする請求項１又は２記載のマンホールの上壁部構造。
【請求項４】
マンホールの側壁上部に、板面を上下に向けた状態でコンクリート製上壁を載置固定する固定部であり、
コンクリート製上壁に穿孔された貫通孔に対応するマンホールの側壁上部位置に穿設され、コンクリート製上壁の貫通孔に螺着固定した長ネジ部材の下端を挿入して止めるメクラ穴と、該メクラ穴内に長ネジ部材の下端を挿入して止めた状態で充填する接合用接着剤と、を含む固定部を有することを特徴とする請求項１ないし３のいずれかに記載のマンホールの上壁部構造。
【請求項５】
マンホールの側壁上部のメクラ穴にコンクリート製上壁に固定された長ネジ部材の突設下端を挿入して止めた状態でマンホールの側壁上部とコンクリート製上壁との空隙に充填する高さ調整モルタル部を有することを特徴とする請求項４記載のマンホールの上壁部構造。
【請求項６】
長ネジ部材の上端は吊支装置の吊り器と、回転駆動装置の入力部と、に係着離脱自在に選択的に係合する選択係合構造を有することを特徴とする請求項１ないし５のいずれかに記載のマンホールの上壁部構造。
【請求項７】
選択係合構造は、長ネジ部材の先端を螺合端として外部からナット構造体をネジ着脱自在に連結する雄ネジ部と、長ネジ部材の先端のネジ連結部に設けられた回転駆動装置の入力の掛かり受部と、を含むことを特徴とする請求項６記載のマンホールの上壁部構造。
【請求項８】
コンクリート製上壁の貫通孔は、上下中間位置から上面に向けてしだいに孔径を径大とした操作用孔部を有することを特徴とする請求項１ないし７のいずれかに記載のマンホールの上壁部構造。
【考案の詳細な説明】
【技術分野】
【０００１】
本考案は地下の下水道・暗渠・埋設された電気・通信ケーブルなどの接続用ボックスであるマンホール躯体の上壁部構造に関する。
【背景技術】
【０００２】
マンホール（manhole）は、地下の下水道・暗渠・埋設された電気・通信ケーブルなどの接続用ボックスであり、内部のケーブルや管路の管理をするために作業員が地上から出入りして点検や接続、分離作業を行えるように内部に作業用空間が形成されている。マンホールは事故による大きな経済損失と賠償を生じさせる電気や近時の光通信ケーブルなどの接続、分離を行なう点から自然災害や人的災害による断線や損傷防止に最大の留意が必要である。この点から、マンホール躯体は、鉄筋コンクリート製の厚くて堅牢な壁体で一体形成したボックスで構成されているのが通常である。ところで一辺が数メートルのマンホールなどでは躯体全体が大型となり材料、製造コストが高くつくとともにマンホール躯体の上壁の設置などでは大型重量物の上壁の設置に大型クレーンや重機などを必要とし作業コストや作業上の安全性の上で留意が必要である。また、マンホールの上壁に設けた作業者のマンホール内外出入り用の鉄蓋の上面をマンホールの設置地面と面一となるように均一な面に均した状態で道路整備を行なう必要があるので、マンホールの上壁自体を水の流れ勾配に則した微妙な傾きで設置する必要があり、このような微妙な角度出し作業は、一体成形の本体側壁上に配置するだけでは困難で、マンホール本体側の設置角度からの設定が必要で、そのため設置作業に時間がかかり施工作業効率を低いものとしていた。従来、マンホール設置に関して特許文献１による提案がなされている。
【先行技術文献】
【特許文献】
【０００３】
【特許文献１】特開２００９−１３８３５５号
【考案の概要】
【考案が解決しようとする課題】
【０００４】
特許文献１では、マンホールの入り口２に、開閉自在に閉塞するマンホール蓋本体３を配置し、さらにその中央位置に開けた作業用開口５に開閉自在に作業用小蓋６を設け、さらに、作業用開口５の下側周縁に排水ホース又は点検用カメラ等の作業器具を固定する固定治具を設けたものである。この特許文献１の構造では、従来の鉄蓋として機能する作業用小蓋６を受けるマンホール蓋本体３の流れ勾配に沿った角度出し作業を必要とするが、微妙な角度だし調整は困難である。また、この特許文献１のものでは、既設のマンホールの上壁部分のみの改修や道路状態に則した傾き調整が必要な場合にマンホール躯体全体を交換することとなり、大きな経費負担を生じさせるものであった。
【０００５】
本考案は上記従来の課題に鑑みてなされたものであり、その目的は、簡単な構成でしかも低コストであり、さらに、軽量な壁体により設置作業も簡単で流れ勾配に則した精度の高い角度だし作業を可能とするマンホール躯体の上壁部構造を提供することにある。
【課題を解決するための手段】
【０００６】
上記課題を解決するために、本考案は、マンホールの側壁７上に板面を上下に向けた状態で載置されてマンホールの上壁を成すコンクリート製上壁２と、コンクリート製上壁２の１個又は複数位置において板厚方向に貫通する貫通孔３と、貫通孔３の中途においてコンクリート製上壁に貫通孔と同心で埋め込まれて設けられたナット部４と、貫通孔３に挿通されナット部４に螺合しつつ下端を貫通孔から突出させて取り付けられる長ネジ部材５と、を含み、長ネジ部材５を介してコンクリート製上壁２とマンホールの側壁７との連結と、コンクリート製上壁２の勾配調整と、コンクリート製上壁２の吊支操作と、を行なうようにしたことを特徴とするマンホールの上壁部構造１から構成される。
【０００７】
また、コンクリート製上壁２は、金属板枠１４内に充填したコンクリートを固化させて一体化させた金属枠一体化コンクリート厚板からなるとよい。
【０００８】
また、ナット部４は、高ナット１８にコンクリート製上壁２との連結強度を保持するアンカー部材２０が固定されているとよい。
【０００９】
また、マンホールの側壁７上部に、板面を上下に向けた状態でコンクリート製上壁２を載置固定する固定部３２であり、コンクリート製上壁２に穿孔された貫通孔３に対応するマンホールの側壁７上部位置に穿設され、コンクリート製上壁２の貫通孔３に螺着固定した長ネジ部材５の下端を挿入して止めるメクラ穴３４と、該メクラ穴内に長ネジ部材５の下端を挿入して止めた状態で充填する接合用接着剤３８と、を含む固定部３２を有するとなおよい。
【００１０】
また、マンホールの側壁７上部のメクラ穴３４にコンクリート製上壁２に固定された長ネジ部材５の突設下端を挿入して止めた状態でマンホールの側壁７上部とコンクリート製上壁２との空隙３６に充填する高さ調整モルタル部４０を有するとよい。
【００１１】
また、長ネジ部材５の上端は吊支装置の吊り器２４と、回転駆動装置２５の入力部２５ａと、に係着離脱自在に選択的に係合する選択係合構造２２を有するとよい。
【００１２】
また、選択係合構造２２は、長ネジ部材５の先端を螺合端として外部からナット構造体をネジ着脱自在に連結する雄ネジ部２６と、長ネジ部材５の先端のネジ連結部に設けられた回転駆動装置２５の入力の掛かり受部２８と、を含むとよい。
【００１３】
また、コンクリート製上壁２の貫通孔３は、上下中間位置から上面に向けてしだいに孔径を径大とした操作用孔部１６を有するとよい。
【考案の効果】
【００１４】
本考案のマンホール躯体の上壁部構造によれば、マンホールの側壁上に板面を上下に向けた状態で載置されてマンホールの上壁を成すコンクリート製上壁と、コンクリート製上壁の複数位置において板厚方向に貫通する貫通孔と、貫通孔の中途においてコンクリート製上壁に貫通孔と同心で埋め込まれて設けられたナット部と、貫通孔に挿通されナット部に螺合しつつ下端を貫通孔から突出させて取り付けられる長ネジ部材と、を含み、長ネジ部材を介してコンクリート製上壁とマンホールの側壁との連結と、コンクリート製上壁の勾配調整と、コンクリート製上壁の吊支操作と、を行なうようにした構成であるから、コンクリート主材によるコンクリート製上壁の構成を本体とする結果、低コストで、軽量で簡単、短時間に施工を完了させることができる。また、貫通孔と長ネジ部材とによりコンクリート製上壁の勾配調整を現場で行なえるから流れ勾配に則した精度の高い角度だし設定を簡単な構成により行なうことが可能である。
【００１５】
また、コンクリート製上壁は、金属板枠内に充填したコンクリートを固化させて一体化させた金属枠一体化コンクリート厚板からなる構成であるから、マンホールの上壁の軽量化と低コスト化を実現し得る。
【００１６】
また、ナット部は、高ナットにコンクリート製上壁との連結強度を保持するアンカー部材が固定された構成とすることにより、コンクリート製上壁内へのナット部の埋め込み成形による上壁本体とナット部との結合強度を高くして吊支時等において、コンクリート製上壁の昇降によるマンホール側壁等への載置、離脱作業を安定して行なえる。
【００１７】
また、マンホールの側壁上部に、板面を上下に向けた状態でコンクリート製上壁を載置固定する固定部であり、コンクリート製上壁に穿孔された貫通孔に対応するマンホールの側壁上部位置に穿設され、コンクリート製上壁の貫通孔に螺着固定した長ネジ部材の下端を挿入して止めるメクラ穴と、該メクラ穴内に長ネジ部材の下端を挿入して止めた状態で充填する接合用接着剤と、を含む固定部を有する構成とすることにより、連結強度を高く保持したマンホールとコンクリート製上壁との接合一体化を実現させ得る。
【００１８】
また、マンホールの側壁上部のメクラ穴にコンクリート製上壁に固定された長ネジ部材の突設下端を挿入して止めた状態でマンホールの側壁上部とコンクリート製上壁との空隙に充填する高さ調整モルタル部を有する構成であるから、マンホールとコンクリート製上壁との接合一体化を具体的に実現することができる。
【００１９】
また、長ネジ部材の上端は吊支装置の吊り器と、回転駆動装置の駆動受部と、に係着離脱自在に選択的に係合する選択係合構造を有する構成であるから、コンクリート製上壁に連結した長ネジ部材によるコンクリート製上壁の勾配調整と、コンクリート製上壁の吊支操作と、を具体的に兼用して行なうことが可能である。
【００２０】
また、選択係合構造は、長ネジ部材の先端を螺合端として外部からナット構造体をネジ着脱自在に連結する雄ネジ部と、長ネジ部材の先端のネジ連結部に設けられた回転駆動装置の入力の掛かり受部と、を含む構成であるから、コンクリート製上壁の勾配調整と、コンクリート製上壁の吊支操作と、を具体的に兼用して行なうことが可能である。
【００２１】
また、コンクリート製上壁の貫通孔は、上下中間位置から上面に向けてしだいに孔径を径大とした操作用孔部を有する構成とすることにより、貫通孔に挿入された長ネジ部材と吊支装置の吊り器との連結や回転駆動装置の入力部との着脱連結時の拡大あるいは拡張したスペースが必要な場合に円滑にそれらの着脱連結、回転駆動等の作業を行なうことが可能である。
【図面の簡単な説明】
【００２２】
【図１】本考案の実施形態に係るマンホールの上壁部構造を含むマンホールの断面説明図である。
【図２】本考案の実施形態に係るマンホールの上壁をマンホール躯体上で吊り下げた状態を示す斜視説明図である。
【図３】本考案の実施形態に係るマンホールの上壁部構造で離脱させたアイナットと第２高ナットを同時に示した設置状態の一部省略拡大断面説明図である。
【図４】図３の長ネジ部材の回転駆動、吊支連結操作時の部材の接続部材の分解説明図である。
【図５】（ａ）は、図４の回転駆動装置の入力部と長ネジ部材の上端雄ネジ部を示した斜視説明図、（ｂ）は、図４の回転駆動装置の入力部と長ネジ部材の上端雄ネジ部の他の例を示した斜視説明図である。
【図６】図１のマンホールの上壁の貫通孔部分での組み付け作用説明図である。
【図７】図１のマンホールの上壁の貫通孔部分での組み付け作用説明図である。
【図８】図１のマンホールの上壁の貫通孔部分での組み付け作用説明図である。
【図９】図１のマンホールの上壁の貫通孔部分での組み付け作用説明図である。
【図１０】図１のマンホールの上壁の貫通孔部分での組み付け完了状態の説明図である。
【考案を実施するための形態】
【００２３】
以下、図面を参照して本考案を実施するための形態を説明する。図１ないし図４は、本考案の実施形態に係るマンホールの上壁部構造を示しており、本考案に係るマンホールの上壁部構造は、図１に示すように、例えば土中に埋め込まれたマンホールの側壁上にマンホール上壁を載せる状態で連結閉鎖した状態の構造である。
【００２４】
実施形態に係るマンホールの上壁部構造１は、コンクリート製上壁２と、コンクリート製上壁２に穿孔された貫通孔３と、貫通孔３部分のコンクリート製上壁中に埋め込み設置されたナット部４と、長ネジ部材５と、を含む。実施形態において、マンホールの上壁部構造１は四角形の厚板からなる底部６と底部６の四辺から直角状に立ち上る４つの側壁７と側壁７上端に中空内部８を閉鎖して載置されるコンクリート製上壁２を含むマンホール１０の上壁部分の構造であり、特にマンホール側壁７と、コンクリート製上壁２との接続連結部の構造である。
【００２５】
図１，２において、底部６と側壁７とで構成されるマンホール躯体９も実施形態において厚板状の鉄筋コンクリート製で形成され、対向する側壁には例えば電気・通信ケーブルなどの端部を引き込み案内する案内孔１２が設けられている。マンホール１０は、小型のものから大型のものまであるが、例えば一辺が数メートルの中空立体構造のマンホールでマンホールの上壁自体も数百キログラム程度の重量物のものにおいて本実施形態のマンホールの上壁部構造は特に有効であるがマンホールの大小に関わらず本考案の構造は適用可能である。
【００２６】
コンクリート製上壁２は、マンホールの上壁を成すものであり、実施形態においてコンクリート製上壁２は矩形厚板体で構成されている。具体的には、図３に示すように、コンクリート製上壁２は、上面を開口し底板、側板を連結した金属製立体板枠１４内にコンクリートを充填固化させて一体化させた金属枠一体化コンクリート厚板で構成されている。
【００２７】
貫通孔３は、コンクリート製上壁２の複数位置で穿設されて長ネジ部材５の設置位置を決める長ネジ部材の保持手段であり、実施形態において、平面四角形のコンクリート製上壁２の四隅位置に設けられて板面を上下に配置したコンクリート製上壁２を上下に貫通すして形成されている（図１参照）。本実施形態において、貫通孔３は、孔長さの中間位置から上方側に操作用孔部１６が設けられるとともに、中間位置から下方側にナット部４が形成されている。貫通孔は必ずしもコンクリート製上壁の四箇所に設けることなく、１個あるいは４個以外の２個以上設けるようにしても良い。
【００２８】
ナット部４は、貫通孔から挿入される長ネジ部材５と螺合操作で螺合してコンクリート製上壁２と長ネジ部材５とを連結する部位であり、実施形態においてナット部４は金属枠一体化コンクリート厚板の成形時に型枠に組み込んで貫通孔の位置に埋め込んで配置される。ナット部４は、例えば高ナット１８と高ナットの外周位置において高ナットの軸長手方向と交差方向に溶接固定されたアンカー部材２０と、を備えており、ナットの螺旋の軸がコンクリート製上壁２の板面を貫通するようにしてコンクリート製上壁２内に埋め込み固定されている。アンカー部材２０は、高ナット１８とコンクリート製上壁２との連結強度を保持する。中間位置から上方側の操作用孔部１６は、長ネジ部材５を吊支装置２３に吊支連結させたり、ナット部４に螺合する長ネジ部材５を回転駆動する際の操作用スペース部であり、ナット部４のナット孔に連通して上面に向けてしだいに孔径を径大としたテーパ孔で形成されている。長ネジ部材５をアイボルト連結して吊支する場合や、長ネジ部材５の回転駆動操作時にドライバやその他の回転駆動器具などと連結して長ネジ部材を回転操作するために、ドライバ等との着脱が必要となり、その部分のスペースを確保するために操作用孔部１６が設けられている。
【００２９】
長ネジ部材５は、貫通孔３のナット部４に連係してコンクリート製上壁の設定された孔位置でコンクリート製上壁２に固定される多機能部材であり、本実施形態において、長ネジ部材５はナット部４に螺合して下端を貫通孔からコンクリート製上壁２の底面から下方に向けて突出させて設けられる。コンクリート製上壁２の底面から下方へ形成される下方突設部５１０の突出長さは長ネジ部材５を螺進退移動させることにより調整することができる。長手ネジ部材５の上端側は貫通孔３内、特に操作用孔部１６に収容され得る長さに設定される。
【００３０】
長ネジ部材５の上端側には、選択係合構造２２が設けられている。選択係合構造２２は、長ネジ部材５の上端と吊支装置２３（図２参照）の吊り器２４、または長ネジ部材５の上端と回転駆動装置２５の入力部２５ａとに係着離脱自在に選択的に係合してコンクリート製上壁の吊支、又はコンクリート製上壁の勾配設定のいずれかを実行させる兼用構造手段である。実施形態において、長ネジ部材５は、その上端を螺合端として外部からナット構造体をネジ着脱自在にねじ込み連結可能な上端雄ネジ部２６と、長ネジ部材５の先端のネジ連結部に設けられた回転駆動装置の入力の掛かり受部２８とを備えている。実施形態において、上端雄ネジ部２６は、ナット部材との連結により長ネジ部材５の吊支を行なうものであり、具体的には、上端雄ネジ部２６に第２高ナット２９が螺合連結されるとともに、第２高ナットにアイボルト３０が螺合連結されて長ネジ部材５の上端と吊支装置の吊り器２４とを連結接続させる。アイボルト３０の丸環部に吊り器２４のフックが係合して吊支される。また、掛かり受部２８は平面視直状溝又は直状突片からなり、マイナスドライバや袋ナット付きドライバ等の回転駆動装置２５を係合させて回転させることにより、長ネジ部材５のコンクリート製上壁の底面からの下方突出部（５１０）長さを長短調整させることができる。そして、長ネジ部材５を介してコンクリート製上壁２とマンホールの側壁７との連結と、コンクリート製上壁２の勾配調整と、コンクリート製上壁２の吊支操作と、を行なうものである。
【００３１】
一方、実施形態においてマンホールの側壁７上部に、板面を上下に向けた状態でコンクリート製上壁を載置固定する固定部３２が設けられている。固定部３２は、直接的には、コンクリート製上壁に螺合連結した長ネジ部材５の下端側をマンホール側壁７上部に固定させる固定手段であり、長ネジ部材５の下端側のマンホールの側壁７上部への固定を通じてマンホールの側壁７上部表面とコンクリート製上壁２下面との間に空隙３６を形成する。実施形態において、マンホールの上壁部構造は、コンクリート製上壁２の貫通孔３の対応位置において、マンホール１０の側壁上面から下方に向けて穿設されたメクラ穴３４と、接合用接着剤３８（図９参照）と、を含む。メクラ穴３４は、コンクリート製上壁の貫通孔に螺着固定された長ネジ部材５の下方突設部５１０の下端を挿入して止める部位であり、予め位置決めされた貫通孔３と同じ鉛直方向位置に配置されて長ネジ部材５のマンホールの側壁７上部に対する連結位置を規定し、さらに、長ネジ部材５の螺進退による高さ調整時にボルト下端位置のずれを防止する。接合用接着剤３８は、メクラ穴３４内に長ネジ部材５の下端を挿入して止めた状態で充填されて、化学結合により長ネジ部材５の下部とマンホール側壁７上部とを強固にケミカルアンカー結合させる。
【００３２】
実施形態のマンホールの上壁部構造は、マンホールの側壁７上部とコンクリート製上壁２との空隙３６に充填する高さ調整モルタル部４０を含む。すなわち、マンホールの側壁７上部のメクラ穴３４にコンクリート製上壁２に固定された長ネジ部材５の突設５１０下端を挿入して止めた状態で形成されたマンホールの側壁上部とコンクリート製上壁との空隙３６にモルタルが充填される。そして、充填したモルタルにより空隙３６を埋めてマンホールの側壁７上部とコンクリート製上壁とが一体化され、予め長ネジ部材による調整等により設定された勾配でコンクリート製上壁２を形成させる。実施形態において、空隙３６に充填されるモルタルは高さ調整モルタル部４０を構成する。
【００３３】
次に、図６ないし図１０により本実施形態のマンホールの上壁部の製造方法について説明すると、金属製立体板枠１４内にコンクリートを充填固化して金属枠一体化コンクリート厚板を製作する。金属枠一体化コンクリート厚板は、コンクリート製上壁２の本体である。金属枠一体化コンクリート厚板製作の際、例えば四隅内側位置に貫通孔３を型枠成形し、さらにその際、アンカー部材付き高ナット１８を埋め込む（図６参照）。高ナット１８に長ネジ部材５を螺合させてコンクリート製上壁の底面から下端を突設させた状態で長ネジ部材５上端側の上端雄ネジ部２６に操作用孔部１６において第２高ナット２９とアイボルト３０を螺着し、吊支装置等に支持させた吊り器２４のフックにアイボルトの丸環部を係合させて吊り上げ、マンホール上部側壁７上に載置させる（図７参照）。その状態で長ネジ部材５の下端がマンホール上部側壁７上面に当たる部位を罫書きマークし、コンクリート製上壁を吊り上げ退避させた状態で罫書きマーク部位に所要深さのメクラ穴３４を穿穴させる（図８参照）。再びコンクリート製上壁を吊り支持してその四隅に連結した長ネジ部材５の下端をメクラ穴３４内に挿入して載置させ、近縁の路面等に合せたコンクリート製上壁上面の勾配を合せるように４個の長ネジ部材５の下方突設部５１０の高さをパイプハンドル等の回転駆動装置２５（図４参照）を用いて螺進退調整し、調整後にケミカル接着液を穴３４に充填して固化させる。次に、空隙３６内にモルタルを充填しマンホール上部側壁７とコンクリート製上壁２とを一体接合し（図９参照）、マンホールの上壁部を構成する。そして、貫通孔３の上部の操作用孔部１６の第２高ナット２９とアイボルト３０を離脱させた後の貫通孔３にモルタルを充填して埋め戻し、コンクリート製上壁２を面一の表面に仕上げる（図１０参照）。なお、実施形態において、このコンクリート製上壁２の中央位置には図示しない鉄蓋により開閉される作業用の小孔が設けられている。
【００３４】
以上説明した本考案のマンホールの上壁部構造は、コンクリート製上壁に穿孔した貫通孔とこれに螺合連結する長ネジ部材とにより、コンクリート製上壁とマンホールの側壁との連結、コンクリート製上壁の勾配調整、コンクリート製上壁の吊支、を行なうようにしたので、コンクリートを主材とするコンクリート製上壁が材料費のほとんどであって低コストで金属製立体板枠以外には金属構造材を用いることなく軽量であり、施工が簡単である。また、コンクリート製上壁の吊支を受ける部分の構造が簡単で貫通孔に対するモルタルの埋め戻し量もわずかで、仕上げ作業も短時間で完成させることができる。本考案のマンホールの上壁部構造は上記した実施形態の構成にのみ限定されるものではなく、本考案の実用新案登録請求の範囲に記載の考案の本質を逸脱しない範囲の改変も本考案に含まれる。例えば、長ネジ部材５の上端側の上端雄ネジ部２６に螺合する吊支用の第２高ナット２９やアイボルト３０は、これらを一体に連結した部材でも良い。
【産業上の利用可能性】
【００３５】
本考案のマンホールの上壁部構造は  電気・通信ケーブルなどの接続用に限らず、地下の下水道・暗渠用のマンホール躯体の上壁部構造にも適用することができる。また、マンホールの新設時に限らず、既設のマンホールの蓋部の交換においても有効に適用可能である。
【符号の説明】
【００３６】
１  マンホールの上壁部構造
２  コンクリート製上壁
３  貫通孔
４  ナット部
５  長ネジ部材
７  マンホール側壁
１０  マンホール
１４  金属製立体板枠
１６  操作用孔部
１８  高ナット
２２  選択係合構造
２６  上端雄ネジ部
２８  掛かり受部
３２  固定部
３４  メクラ穴
３６  空隙
３８  接合用接着剤
４０  高さ調整モルタル部
５１０  長ネジ部材の下方突設部
【図１】
0003185988.tif 000003
【図２】
0003185988.tif 000004
【図３】
0003185988.tif 000005
【図４】
0003185988.tif 000006
【図５】
0003185988.tif 000007
【図６】
0003185988.tif 000008
【図７】
0003185988.tif 000009
【図８】
0003185988.tif 000010
【図９】
0003185988.tif 000011
【図１０】
0003185988.tif 000012